(57)【要約】【課題】移動機が安定して放送波を受信できるように支援する移動機の放送受信支援システムを提供する。【解決手段】移動機Ａからの受信感度情報を、受信感度情報データベース９３１に蓄積するとともに、必要に応じて受信感度マップ９３２を更新する処理を行い、移動機Ａが放送波を安定して受信できるかどうか判別し、安定受信が困難である場合、受信感度マップ９３２を検索して移動機Ａの近傍で受信感度を改善できる位置情報を抽出し、位置情報をＡ移動機に送信する支援サーバ装置Ｂを備えた移動機の放送受信支援システムＨｓ。【選択図】図２
2015035777.tif 000002
【特許請求の範囲】
【請求項１】
放送波を受信できる移動機と通信回線を介して接続され、
少なくとも位置情報及び放送の受信感度の情報が含まれる受信感度情報が蓄積された受信感度情報データベースと、
前記受信感度情報データベースに蓄積された受信感度情報を、地図上の対応する位置に登録された受信感度マップと、
処理部とを有し、
前記処理部が、前記移動機からの受信感度情報を、前記受信感度情報データベースに蓄積するとともに、必要に応じて前記受信感度マップを更新する処理を行い、取得した前記受信感度情報を送信した前記移動機が放送波を安定して受信できるかどうか判別し、安定受信が困難である場合、前記受信感度マップを検索して前記移動機の近傍で受信感度を改善できる位置情報を抽出し、前記位置情報を前記移動機に送信することを特徴とする放送受信支援サーバ装置。
【請求項２】
前記受信感度に影響を与える可能性のある受信環境の情報を含む補助情報が蓄積された補助情報データベースを有し、
前記処理部は、前記補助情報を定期的に取得しているとともに、前記補助情報を前記補助情報データベースに追加しており、
前記処理部が前記補助情報データベースから受信感度マップの更新が必要な範囲を抽出し、その範囲内にある移動機からの受信感度情報に基づいて、受信感度マップを更新する処理を行う請求項１に記載の放送受信支援サーバ装置。
【請求項３】
前記受信感度マップに登録された受信感度情報の受信感度を前記移動機の受信環境に基づいて補正するときに用いる補正パラメータを備えた補正用データベースを有し、
前記処理部は、前記受信感度情報を送信した前記移動機の受信環境と前記受信感度マップの受信感度情報とに差がある場合、前記補正用データベースから前記移動機の受信環境に対応した補正パラメータを取得し、前記受信感度マップの受信感度を補正する請求項１又は請求項２に記載の放送受信支援サーバ装置。
【請求項４】
前記受信感度情報は、受信可能となった放送局の情報である選局情報を含んでおり、
前記処理部は、前記受信感度情報データベース又は前記受信感度マップから前記移動機から送られた位置情報で選局可能な放送局の情報を取得し、前記移動機に送信する請求項１から請求項３のいずれかに記載の放送受信支援サーバ装置。
【請求項５】
請求項１から請求項４のいずれかに記載の支援サーバ装置と、
放送波を受信可能であるとともに通信回線を介して前記支援サーバ装置と情報の送受信を行う移動機とを備えた放送受信支援システム。
【発明の詳細な説明】
【技術分野】
【０００１】
本発明は、移動機の安定した放送波の受信を支援する放送受信支援サーバ装置及び放送受信支援システムに関するものである。
【背景技術】
【０００２】
携帯電話、タブレット型ＰＣ等の移動機には、放送波を受信するためのアンテナを備えているものがあり、前記アンテナで放送波を受信することで、使用者は移動先で放送を楽しむことができる。前記移動機に備えられたアンテナは、建物等の構造物に固定された固定アンテナに比べて受信感度が低い場合が多い。このような移動機において、電波を発信している基地局（又は中継局）にアンテナを向ける、又は、移動機ごと電波が強い領域に移動することで、前記受信感度を高めることが可能である。
【０００３】
前記アンテナの向きを調整することで、受信感度を良好にする方法が、例えば特開２００５−３２８２６１号公報に記載されている。特開２００５−３２８２６１号公報に記載の通信端末は、無線通信を行ったときのアンテナの位置、方向及び通信品質を格納する内部テーブルを備えている。そして、現在と過去の無線通信時におけるアンテナの位置、方向及び通信品質を比較して通信品質を向上するようにアンテナの位置及び方向の補正を行う構成となっている。このようにアンテナの位置及び方向を変更することで通信品質を向上させ、電波を安定して受信することが可能となっている。
【先行技術文献】
【特許文献】
【０００４】
【特許文献１】特開２００５−３２８２６１号公報
【発明の概要】
【発明が解決しようとする課題】
【０００５】
しかしながら、特開２００５−３２８２６１号公報のように、通信端末に備えられている内部テーブルを参照して、過去と現在の通信状態を比較する構成の場合、過去と現在とで位置が変わっていると、正確な比較ができなくなり、正確なアンテナの調整が難しくなる場合がある。
【０００６】
そこで本発明は、移動機が安定して放送波を受信できるように支援する放送受信支援サーバ装置及び放送受信支援システムを提供することを目的とする。
【課題を解決するための手段】
【０００７】
上記目的を達成するため本発明は、少なくとも位置情報及び放送の受信感度の情報が含まれる受信感度情報が蓄積された受信感度情報データベースと、前記受信感度情報データベースに蓄積された受信感度情報を、地図上の対応する位置に登録された受信感度マップと、処理部とを有し、前記処理部は、前記移動機からの受信感度情報を、前記受信感度情報データベースに蓄積するとともに、必要に応じて前記受信感度マップを更新する処理を行い、取得した前記受信感度情報を送信した前記移動機が放送波を安定して受信できるかどうか判別し、安定受信が困難である場合、前記受信感度マップを検索して前記移動機の近傍で受信感度を改善できる位置情報を抽出し、前記位置情報を前記移動機に送信することを特徴とする。
【発明の効果】
【０００８】
本発明によると、移動機が安定して放送波を受信できるように支援する放送受信支援サーバ装置及び放送受信支援サーバ及び放送受信支援システムを提供することができる。
【図面の簡単な説明】
【０００９】
【図１】本発明にかかる移動機の放送受信支援システムの一例を示す概略図である。
【図２】本発明にかかる移動機の放送受信システムの移動機と支援サーバ装置とを示すブロック図である。
【図３】受信感度情報データベースの一例を示す概略図である。
【図４】受信感度マップの概略を示す図である。
【図５】補助情報データベースの一例を示す概略図である。
【図６】補正用データベースの一例を示す概略図である。
【図７】受信感度マップを更新する手順を示すフローチャートである。
【図８】本発明にかかる移動機の放送受信支援システムの支援動作を示すフローチャートである。
【図９】受信感度マップの更新動作を示すフローチャートである。
【図１０】本発明にかかる移動機の放送受信支援システムの支援動作の他の例を示すフローチャートである。
【図１１】補正パラメータを生成する手順を示すフローチャートである。
【図１２】本発明にかかる移動機の放送受信支援システムの支援動作を示すフローチャートである。
【図１３】チャンネルリストを提供する手順を示すフローチャートである。
【発明を実施するための形態】
【００１０】
以下に本発明の実施形態について図面を参照して説明する。図１は本発明にかかる移動機の放送受信支援システムの一例を示す概略図である。図１に示すように、移動機の放送受信支援システムＨｓは、移動機Ａと、支援サーバ装置Ｂとを備えている。移動機Ａは、放送局Ｐｓからのテレビ放送等の放送波を受信できるとともに、無線通信回線を利用して通信波の送受信が可能となっている。
【００１１】
なお、移動機Ａとしては、上述のように、放送波を受信できるとともに、通信波の送受信が可能な構成を有するもの、例えば、携帯電話機、スマートフォン、タブレット型ＰＣ等を挙げることができるが、これに限定されない。また、テレビ放送等には、携帯電話・移動体端末向けの１セグメント部分受信サービス、いわゆるワンセグ放送や、映像とともに音声やデータ通信が用いられるマルチメディア放送が含まれる。
【００１２】
移動機Ａは、無線基地局Ｍｎと無線通信回線を開くことで通信波の送受信ができるものである。無線基地局ＭｎはネットワークＮｗに接続されており、ネットワークＮｗには支援サーバ装置Ｂも接続されている。すなわち、無線基地局Ｍｎを含むネットワークＮｗがモバイルネットワークを構成する。そして、移動機Ａと支援サーバ装置Ｂとが、モバイルネットワーク（通信回線）を介して情報を送受信可能に接続される。
【００１３】
なお、図１では、無線基地局Ｍｎを１個示しているが、実際には広範な領域で移動機Ａと無線通信回線を開くことができるように多数の無線基地局Ｍｎが設けられている。また、無線基地局Ｍｎに４個の移動機Ａが接続されているが、これに限定されるものではなく、さらに多数の移動機Ａが接続可能であってもよい。
【００１４】
移動機Ａと支援サーバ装置Ｂの詳細について新たな図面を参照して説明する。図２は本発明にかかる移動機の放送受信システムの移動機と支援サーバ装置とを示すブロック図である。図２に示す移動機の放送受信支援システムＨｓでは、移動機Ａと支援サーバ装置Ｂとが一台ずつ接続されている例を示しているが、実際には、支援サーバ装置Ｂに複数台の移動機Ａが接続されている。
【００１５】
図２に示すように、移動機Ａは、中央処理部１と、メモリ２と、通信部３と、位置情報取得部４と、計時部５と、チューナ部６と、入力部７と、出力部８とを備えている。
【００１６】
中央処理部１は、移動機Ａを統括的に制御するとともに取得されたデータの処理を行う論理回路（ＭＰＵ、ＣＰＵ等）を含んでいる。なお、図１に示すように、移動機Ａでは、上述した、メモリ２、通信部３、位置情報取得部４、計時部５、チューナ部６、入力部７及び出力部８は中央処理部１に接続されており、中央処理部１との間で、情報の送受信を行ったり、中央処理部１からの制御信号を受信し、制御信号に応じて動作したりするようになっている。
【００１７】
メモリ２は、情報を記憶するための記憶装置であり、揮発性メモリ（例えば、ＲＡＭ等）及び不揮発性メモリ（例えば、ＲＯＭ、フラッシュメモリ等）を含む構成となっている。通信部３は無線基地局Ｍｎとの間で無線通信回線を開くものである。通信部３は、無線通信回線で用いられる周波数帯域の電波を送受信できる。
【００１８】
位置情報取得部４は、移動機Ａの現在位置、方向等を取得する取得部である。図２に示すように、位置情報取得部４は、移動機Ａの位置情報（緯度、経度、高度、方向）を取得する。また、位置情報取得部４として、ＧＰＳ信号に基づいて位置情報を取得するものを挙げることができるが、これ以外にも、無線通信回線を利用し、位置情報を取得する機能を備えていてもよい。
【００１９】
計時部５は、現在の時刻を提供することができる。計時部５は、例えば、それ自体独立して計時するリアルタイムクロックであってもよいし、電波やＧＰＳ信号に基づいて時間を補正する機能を備えていてもよい。
【００２０】
チューナ部６は、放送局Ｐｓからの放送波を受信するアンテナ６１と接続している。また、チューナ部６は受信した放送波の受信感度を検出する感度検出部６２を備えている。感度検出部６２は、例えば、エラーレート（ＢＥＲ）やｓ／ｎ比を検出し、その結果から複数の段階の受信感度（レベル）を決定している。
【００２１】
入力部７は、使用者が移動機Ａの操作や文字の入力等を行うときに使用するものである。入力部７として、実際に押下するボタンスイッチや、タッチパネルを含む構成を挙げることができる。出力部８は、ディスプレイ８１と、スピーカ８２とを備えている。ディスプレイ８１としては、液晶パネルを用いた液晶表示ディスプレイや有機ＥＬディスプレイ等、薄型のディスプレイを広く採用することができる。また、音声を出力する音声出力部としてスピーカ８２としているが、これに限定されるものではなく、ヘッドフォン端子とヘッドフォン（イヤーフォン）を備える構成としてもよい。
【００２２】
移動機Ａでは、チューナ部６が放送波を受信したとき、受信感度検出部６２で受信感度を検出する。また、同時に位置情報取得部４で位置情報、方向情報を、計時部５で受信時の時間情報を取得する。そして、受信感度、位置情報、方向情報、時間情報、端末情報及び選局情報等を含む受信感度情報をネットワークＮｗを介して支援サーバ装置Ｂに送信する。
【００２３】
次に、支援サーバ装置Ｂについて図面を参照して説明する。図２に示しているように、支援サーバ装置Ｂは、処理部９１と、接続部９２と、記憶部９３とを備えている。記憶部９３には、受信感度情報をデータベース化した受信感度情報データベース９３１と、受信感度情報データベース９３１の情報が反映された電子マップである受信感度マップ９３２と、受信感度の変化の調整を補助する補助情報を蓄積した補助情報データベース９３３と、受信感度を補正するための補正用データベース９３４とを備えている。
【００２４】
接続部９２は、ネットワークＮｗと支援サーバ装置Ｂとの間で情報の送受信を行うためのインターフェースである。支援サーバ装置Ｂは、ネットワークＮｗに接続されている移動機Ａと情報の送受信が可能となっている。
【００２５】
処理部９１は、支援サーバ装置Ｂにおける複数の処理を行う処理回路を含む構成である。処理回路としては、ＣＰＵやＭＰＵ等の論理回路を含むものである。処理部９１は、受信感度情報取得部９１１、データベース更新部９１２、マップ更新部９１３、マップ検索部９１４及び受信感度補正部９１５を備えている。なお、受信感度情報取得部９１１、データベース更新部９１２、マップ更新部９１３、マップ検索部９１４及び受信感度補正部９１５は、処理部９１の内部にそれぞれ独立した回路として設けられていてもよいし、一部又は全部がプログラムであってもよい。
【００２６】
受信感度情報取得部９１１は、移動機Ａより送信されてくる情報の中から、移動機Ａの放送受信感度の情報を取得する。受信感度情報取得部９１１は受信感度情報に基づいて、受信感度、受信感度に関連付けられた情報（位置情報、方向情報、時間情報、端末情報等）を取得し、データベース更新部９１２に送信する。
【００２７】
データベース更新部９１２は、受信感度情報取得部９１１からの受信感度情報を、記憶部９３に備えられている受信感度情報データベース９３１に追加することで受信感度情報データベース９３１を更新するものである。
【００２８】
マップ更新部９１３は、受信感度情報データベース９３１に基づいて、受信感度マップ９３２に受信感度情報を追加し、受信感度マップ９３２を更新するものである。マップ検索部９１４は、移動機Ａからの位置情報に基づいて、移動機Ａの現在位置の近辺の受信感度が良好な位置を検索する。
【００２９】
記憶部９３は、ハードディスク、ＲＯＭ、ＲＡＭ等を備えた情報を記録するためのものである。記憶部９３は、受信感度情報データベース９３１と、受信感度マップ９３２とが記録されている。
【００３０】
ここで、受信感度情報データベース９３１について図面を参照して説明する。図３は受信感度情報データベースの一例を示す概略図である。受信感度情報データベース９３１は端末情報フィールドＦ１１、緯度フィールドＦ１２、経度フィールドＦ１３、高度フィールドＦ１４、方向フィールドＦ１５、受信感度フィールドＦ１６、受信日時フィールドＦ１７及び選局フィールドＦ１８を備えている。
【００３１】
端末情報フィールドＦ１１は、受信感度情報データベース９３１を送信した端末の機種情報（ここでは、ＳＨ−０００）を格納している。なお、機種情報以外にも、個体情報やソフトウェアのバージョン等を含む情報であってもよい。緯度フィールドＦ１２経度フィールドＦ１３及び高度フィールドＦ１４には、位置情報取得部４で取得した緯度、経度及び高度の情報が格納される。方向フィールドＦ１５には、移動機Ａの放送波を受信したときのアンテナの向きが格納される。
【００３２】
受信感度フィールドＦ１６には、放送波を受信したときの受信感度が格納される。なお、ここでは、移動機Ａの感度検出部６２で検出されたエラーレート、ｓ／ｎ比を元に受信感度を複数段階のレベル（例えば１〜１０：１０が最良）として格納している。この受信感度のレベルは、移動機Ａで決定してもよいし、支援サーバ装置Ｂで決定してもよい。そして、受信日時フィールドＦ１７には、放送波を受信したときの日時が格納される。また、選局フィールドＦ１８は、放送波を受信したときに設定できたチャンネル情報が格納される。
【００３３】
なお、この受信感度情報データベース９３１は、データベースの一例であり、少なくとも、位置（緯度、経度、高度）と受信感度の情報を備えていればよい。また、これら以外にも、データフィールドを備えることで、受信感度情報データベース９３１に基づいて、更新される受信感度マップ９３２に登録される受信感度情報の解像度（精度）を高めることができる。
【００３４】
そして、受信感度情報データベース９３１に基づいて、あらかじめ準備されている受信感度マップ９３２に、受信感度情報を追加する。図４は受信感度マップの概略を示す図である。図４に示す受信感度マップ９３２では、黒丸で示されている部分に受信感度情報が含まれた構成となっている。受信感度マップ９３２上には、移動機Ａが受信感度情報を送信した位置情報（緯度、経度、高度）に基づいて送信した位置を特定し、その位置に、受信チャンネル、受信感度及びアンテナの方向の情報が登録されている。
【００３５】
そして、受信感度マップ９３２は、受信感度情報に含まれる情報（受信チャンネル、受信感度、アンテナの方向等）の分布図となっており、マップ検索部９１４は、その分布図に基づいて情報（受信チャンネル、受信感度、アンテナの方向等）を検索できるようになっている。なお、受信感度マップ９３２において、複数の受信感度情報から、受信感度の分布を等高線でつなぎ、受信感度の検索を行うようにしてもよい。
【００３６】
地上テレビ放送等の放送波の受信感度は、同じ位置、姿勢であっても、気象、地形、電波等の位置、時間等でばらつく場合がある。そこで、支援サーバ装置Ｂでは、ばらつきを検出するための補助情報をネットワークＮｗ（インターネット）を介して取得する。データベース更新部９１２は取得した補助情報を補助情報データベース９３３に追加する。
【００３７】
図５は補助情報データベースの一例を示す概略図である。図５に示すように補助情報データベース９３３は、補助情報を取得した時間が格納される時間フィールドＦ２１、気象情報（天候、気圧、湿度、温度等）が格納される気象情報フィールドＦ２２、補助情報の範囲を示す地理情報フィールドＦ２３、放送波を出力する電波塔の位置を示す位置フィールドＦ２４及び電波塔の運用状況を示す運用状況フィールドＦ２５を備えている。なお、補助情報データベースはこれらすべてのフィールドを備えていなくてもよいし、これら以外のフィールド（例えば、地形や構造物の情報）を備えていてもよい。格納される情報の種類が増えることで、受信感度マップ９３２の受信感度情報の解像度（精度）を高めることが可能である。
【００３８】
図６は補正用データベースの一例を示す概略図である。受信感度は、例えば、機種の差異、天候、地形や構造物の変更等の条件によって変動する場合がある。そのため、図６に示すような補正用データベース９３４に格納された補正パラメータを用いて、受信感度マップ９２３に登録されている受信感度を補正する。図６に示すように、補正用データベース９３４は、条件を示す条件タブＴｂ、条件フィールドＦ３１、補正パラメータＦ３２を有している。
【００３９】
図６に示すように、条件タブＴｂは、どのような条件によって補正を行うかを示している。例えば、図６に示す補正用データベース９３４において、条件タブＴｂが機種となっている場合、機種ごとに設定された補正パラメータが格納されている。この補正パラメータを用いることで、機種による受信感度のばらつきを補正することが可能である。
【００４０】
（第１実施形態）
次に、本発明にかかる移動機の放送受信支援システムの動作について図面を参照して説明する。まず、移動機から受信感度情報を取得する手順について説明する。図７は受信感度マップを更新する手順を示すフローチャートである。なお、以下の説明では、図１に示すように、４台の移動機ＡがネットワークＮｗを介して支援サーバ装置Ｂに接続されているものとしている。
【００４１】
操作者による放送波の受信操作が行われると、移動機Ａは放送波の受信を開始する（ステップＳ１１）。なお、放送波の受信は操作者による操作に限らず、タイマーによって受信操作を開始するもの、一定の時間間隔で受信操作を行うもの等を挙げることができる。
【００４２】
チューナ部６で放送波を受信するとともに受信感度検出部６２で受信感度も検出し、中央処理部１に送る。また、このとき、位置情報取得部４で位置情報（緯度、経度、高度、方向）、計時部５で時間情報を取得し、それぞれ中央処理部１に送る。中央処理部１は、受信感度、位置情報、時間情報を含む受信感度情報を作成する（ステップＳ１２）。このとき、受信感度情報には、受信しているチャンネル、端末情報（機種名）も含まれる。なお、受信感度は、安定した受信状態で生成されることが好ましい。安定した受信状態として、例えば、放送局の設定が完了した時点の受信感度を挙げることができる。中央処理部１は、ネットワークＮｗを介して支援サーバ装置Ｂに対して、受信感度情報を送信する（ステップＳ１３）。
【００４３】
支援サーバ装置Ｂの受信感度情報取得部９１１は、各移動機Ａから送られてきたデータの中から受信感度情報を取得し、データベース更新部９１２に送信する。そして、データベース更新部９１２は、受信感度情報に含まれる各種情報を記憶部９３の受信感度情報データベース９３１の各フィールドＦ１１〜Ｆ１７に蓄積し、受信感度情報データベースの更新を行う（ステップＳ１４）。
【００４４】
処理部９１のマップ更新部９１３は、記憶部９３の受信感度マップ９３２を参照し、新たに取得した受信感度情報の位置（新たに受信感度情報を追加しようとする位置とする）と同じ位置に既に登録されている受信感度情報があるかどうか確認する（ステップＳ１５）。新たに受信感度情報を追加しようとする位置に登録されている受信感度情報が登録されていないとき（ステップＳ１５でＮｏのとき）、マップ更新部９１３は受信感度マップ９３２に新たな受信感度情報を登録（受信感度マップ更新）する（ステップＳ１７）。
【００４５】
新たに受信感度情報を追加しようとする位置に既に受信感度情報が登録されているとき（ステップＳ１５でＹｅｓのとき）、マップ更新部９１３は新たに追加しようとする受信感度が、既登録の受信感度より悪いかどうか判断する（ステップＳ１６）。新たな受信感度が既登録の受信感度よりも悪い場合（ステップＳ１６でＹｅｓの場合）、受信感度マップ９３２を更新せずに終了する。新たな受信感度が既登録の受信感度よりも良い場合（ステップＳ１６でＮｏの場合）、マップ更新部９１３は新たな受信感度情報を受信感度マップ９３２に登録する（ステップＳ１７）。
【００４６】
なお、これらの動作は、接続されている全ての移動機Ａから送られてくる受信感度情報に基づいて実行される。また、受信感度情報データベース９３１及び受信感度マップ９３２において、登録後一定の時間（例えば、数日〜数年）経過した情報が消去されるようになっていてもよい。さらに、移動機Ａの位置情報（緯度、経度、高度）が正確に一致することはほとんどないため、同じ位置とする場合、一定の距離にある範囲内の位置としてもよい。以下同様である。
【００４７】
次に支援サーバ装置Ｂから移動機Ａの放送波の受信の支援を行うための情報（以下、支援情報と称する）を送信する手順について図面を参照して説明する。図８は本発明にかかる移動機の放送受信支援システムの支援動作を示すフローチャートである。図８に示すフローチャートは、図７に示す受信感度情報を取得するフローチャートの受信感度情報を送信するまで同じである。
【００４８】
図８に示すように、移動機Ａからの受信感度情報を支援サーバ装置Ｂが受信する（ステップＳ１１１）。処理部９１の受信感度情報取得部９１１は、取得した受信感度情報の受信感度と、放送波を安定して受信するための閾値以上かどうか比較する（ステップＳ１１２）。受信感度が閾値以上の場合（ステップＳ１１２でＹｅｓの場合）、支援サーバ装置Ｂによる放送受信支援動作を終了する。
【００４９】
また、受信感度が閾値よりも小さい場合（ステップＳ１１２でＮｏの場合）、マップ検索部９１４は受信感度マップ９３２を検索し、移動機Ａの近傍で受信感度を改善できる位置を抽出する（ステップＳ１１３）。処理部９１は抽出した位置情報を、移動機Ａに送信する（ステップＳ１１４）。
【００５０】
以上のように、支援サーバ装置Ｂの受信感度情報データベース９３１及び受信感度マップ９３２はリアルタイムで更新されるため、受信感度情報データベース９３１及び受信感度マップ９３２に常に最新の情報に更新されている。そして、常に更新を続けている受信感度マップ９３２に登録されている情報に基づいて、受信感度が良好な位置を抽出し、その位置情報を移動機Ａに送るため、移動機Ａに受信感度を改善する正確な位置情報を提供することができる。
【００５１】
（第２実施形態）
支援サーバ装置Ｂから移動機Ａに受信感度を改善する位置情報を提供する場合、天候（天気、温度、湿度）、地形の変化、電波塔の運用状況等、移動機Ａの受信環境により、放送波の受信感度に影響が出る場合がある。そこで、支援サーバ装置Ｂは、受信感度に影響する可能性のある情報を補助情報として取得している。以下に補助情報の取得とその利用方法について説明する。図９は本発明にかかる移動機の放送受信支援システムの受信感度マップの更新動作を示すフローチャートである。
【００５２】
支援サーバ装置Ｂの処理部９１はネットワークＮｗから補助情報を取得する（ステップＳ２１）。補助情報は定期的に取得される。データベース更新部９１２は、補助情報を補助情報データベース９３３に蓄積する（ステップＳ２２）。
【００５３】
マップ更新部９１３は、更新した補助情報を確認し、受信感度マップ９３２の受信感度に影響が出る部分があるかどうか判断する（ステップＳ２３）。受信感度に影響が出ない（出にくい）と判断された場合（ステップＳ２３でＮｏの場合）、受信感度マップ９３２の更新を終了する。
【００５４】
補助情報データベース９３３の更新された補助情報によって受信感度マップ９３２の受信感度に影響が出ると判断された場合（ステップＳ２３でＹｅｓの場合）、マップ更新部９１３は、受信感度マップ９３２の受信感度に影響が出る（出る可能性がある）領域を特定する（ステップＳ２４）。
【００５５】
そして、マップ更新部９１３は、特定された領域内から送信された受信感度情報を受信感度情報データベース９３１から抽出する（ステップＳ２５）。同一の位置に受信感度情報が１個であるかどうか判断する（ステップＳ２６）。同一の位置に受信感度情報が１個である場合（ステップＳ２６でＹｅｓの場合）、抽出した受信感度情報を受信感度マップ９３２に登録する（ステップＳ２７）。また、同一の位置に受信感度情報が複数個ある場合（ステップＳ２６でＮｏの場合）、複数個ある受信感度情報のうち、時間情報が現時点に最も近い受信感度情報を受信感度マップ９３２に登録する（ステップＳ２８）。
【００５６】
このように、ネットワークＮｗ（インターネット）から、補助情報を取得し、その補助情報の変化に従って、受信感度マップ９３２を変更する領域を決定するため、更新の頻度を低減することができる。
【００５７】
（第３実施形態）
移動機Ａの放送受信の支援を行う場合、現在の移動機Ａの受信環境と受信感度マップ９３２に登録されている受信環境が一致しない場合がある。受信環境が異なる場合、受信感度マップ９３２をそのまま使っても、受信感度をあまり改善できないことがある。この受信環境のばらつきを抑制するため、支援サーバ装置Ｂは受信感度マップ９３２の受信感度を補正するようになっている。以下に、機種による受信感度のばらつきを無くすための補正を行うものについて説明する。なお、補正は、機種の差異によるものに限定されない。
【００５８】
図１０は本発明にかかる移動機の放送受信支援システムの支援動作の他の例を示すフローチャートである。受信感度補正部９１５は、受信感度情報データベース９３１に新たに追加された受信感度情報から機種情報を取得する（ステップＳ３１）。受信感度補正部９１５は、機種情報に対応した補正パラメータを補正用データベース９３４から抽出し（ステップＳ３２）、補正パラメータを利用して、受信感度マップ９３２の受信感度を補正する（ステップＳ３３）。補正した受信感度情報に基づいた情報を移動機Ａに送信する（ステップＳ３４）。同様にして機種以外の環境条件でも補正を行うことが可能である。
【００５９】
また、受信した受信感度情報を受信感度情報データベース９３１に蓄積するとき、補正パラメータを利用して受信感度を補正した後、受信感度情報データベース９３１に蓄積するようにしてもよい。このように補正した受信感度マップ２３２は受信環境によらない一般的な分布図となる。
【００６０】
補正データベース９３４に補正パラメータがない場合もあり、その場合、補正パラメータを生成するようになっている。次に、補正パラメータの生成手順について図面を参照して説明する。図１１は補正パラメータを生成する手順を示すフローチャートである。
【００６１】
処理部９１は、受信感度情報データベース９３１に新たに追加された受信感度情報に含まれる移動機Ａの機種情報を取得する（ステップＳ４１）。受信感度補正部９１５は、同一の機種情報の受信感度情報を検索する（ステップＳ４２）。このとき、受信感度補正部９１５は、受信感度情報データベース９３１を検索してもよいし、受信感度マップ９３２を検索してもよい。
【００６２】
受信感度補正部９１５は同一の機種情報を含む受信感度情報が存在するか判断する（ステップＳ４３）。同じ機種の機種情報を含む受信感度情報がある場合（ステップＳ４３でＹｅｓの場合）、受信感度補正部９１５は補正パラメータの生成を終了する。
【００６３】
同一の機種情報を含む受信感度情報がない（或いは、少ない）場合（ステップＳ４３でＮｏの場合）、受信感度補正部９１５は受信感度情報データベース９３１に含まれる受信感度情報と新たな受信感度情報とを比較する（ステップＳ４４）。なお、受信感度情報の比較は、受信チャンネルと受信機種の総当たりでおこなう。そして、受信感度情報の比較の結果に基づいて、機種ごとの受信特性を推測し、補正パラメータを生成する（ステップＳ４５）。生成した補正パラメータを補正用データベース９３４に追加する（ステップＳ４６）。なお、受信特性の推測方法は、比例等、既知の方法であり詳細は省略する。
【００６４】
次に、本発明にかかる移動機の放送受信支援システムの動作について図面を参照して説明する。図１２は本発明にかかる移動機の放送受信支援システムの支援動作を示すフローチャートである。
【００６５】
図１２に示すように、受信感度情報取得部９１１が受信感度情報を受信すると（ステップＳ５１）、処理部９１は受信感度が安定受信可能な閾値より大きいか判断する（ステップＳ５２）。受信感度が閾値より大きいとき（ステップＳ５２でＹｅｓのとき）は終了する。受信感度が閾値以下のとき（ステップＳ５２でＹｅｓのとき）、マップ検索部９１４は受信感度マップ９３２を検索し、移動機Ａの機種と一致する受信感度情報があるかどうか確認する（ステップＳ５３）。
【００６６】
受信感度マップ９３２に移動機Ａの機種と一致する受信感度情報がない場合（ステップＳ５３でＮｏの場合）、受信感度補正部９１５は移動機Ａの機種情報を取得し、補正用データベース９３３から、移動機Ａの機種に対応する補正パラメータを選択する（ステップＳ５４）。受信感度補正部９１５は受信感度マップ９３２の対応する受信感度を補正パラメータで補正し、補正した受信感度情報を取得する（ステップＳ５５）。
【００６７】
また、移動機Ａの機種と一致する受信感度情報がある場合（ステップＳ５３でＹｅｓの場合）、マップ検索部９１４は受信感度マップ９３２から移動機Ａに対応する受信感度情報を取得する（ステップＳ５６）。
【００６８】
処理部９１は、移動機Ａから送られてきた受信感度情報と、補正された又は受信感度マップ９３２から取得した受信感度情報とを比較する（ステップＳ５７）。処理部９１は、比較の結果に基づいて、移動機Ａのアンテナの向きを変更することで受信感度を改善できるかどうか判断する（ステップＳ５８）。アンテナの向きの変更で受信感度を改善できる場合（ステップＳ５８でＹｅｓの場合）、処理部９１は、最適なアンテナ方向の情報を移動機Ａに送信する（ステップＳ５９）。また、アンテナの向きの変更では受信感度の改善ができない場合（ステップＳ５８でＮｏの場合）、処理部９１は、受信感度を改善できる位置情報を移動機Ａに送信する（ステップＳ５１０）。
【００６９】
以上のように、受信感度マップ９３２の受信感度に、補正を加えたのち、補正した受信感度情報に基づいて、受信感度の改善できる支援情報を移動機Ａに送信することができるため、多数の移動機Ａに対して支援情報を送信することが可能である。また、アンテナの方向を変更することで受信感度を改善できるかどうかを判断するため、移動せずに受信感度を改善することも可能となる。
【００７０】
（第４実施形態）
移動機の放送受信支援システムＨｓでは、移動機Ａから支援サーバ装置Ｂ送信される受信感度情報には移動機Ａで視聴可能となったチャンネル情報も含まれている。そして、受信感度情報データベース９３１及び受信感度マップ９３２に登録されている受信感度情報にもチャンネル情報が含まれている。このチャンネル情報を利用して、受信可能なチャンネルの情報を移動機Ａに送信することも可能である。図１３は支援サーバ装置から移動機にチャンネルリストを提供する手順を示すフローチャートである。
【００７１】
移動機Ａは、位置情報取得部４で取得した位置情報（緯度、経度）を支援サーバ装置Ｂに送信する（ステップＳ６１）。移動機Ａの位置を取得すると、マップ検索部９１４が受信感度マップ９３２から、移動機Ａの位置に対応する受信感度情報を取得する（ステップＳ６２）。処理部９１は、取得した受信感度情報の選局情報を抽出し（ステップＳ６３）、抽出した選局情報から受信可能なチャンネルリストを生成する（ステップＳ６４）。
【００７２】
そして、処理部９１はネットワークＮｗを介してチャンネルリストを移動機Ａに送信する（ステップＳ６５）。移動機Ａは、送信されてきたチャンネルリストをメモリ２に保存し（ステップＳ６６）、放送波を受信するとき、取得したチャンネルリストに基づいて、選局可能なチャンネルを登録する（ステップＳ６７）。
【００７３】
これにより、移動機Ａは放送波を受信するときのチャンネル検索の動作を省略することが可能であり、移動機Ａで放送波を受信するときの時間を減らすことが可能となる。
【００７４】
以上示したように、移動機からの情報を支援サーバ装置に蓄積しその情報を共有することで、放送波の受信感度情報の分布の精度を高めることが可能となる。また、支援サーバ装置からの支援情報に基づいて移動機の放送波の受信感度の改善を行うため、操作者は受信感度の改善のために行うこと（移動、アンテナの方向の変更等）が明確にわかり、短時間で受信感度の改善を行うことが可能となる。
【００７５】
以上、本発明の実施形態について説明したが、本発明はこの内容に限定されるものではない。また本発明の実施形態は、発明の趣旨を逸脱しない限り、種々の改変を加えることが可能である。
【符号の説明】
【００７６】
Ａ  移動機（スマートフォン）
１  中央処理部
２  メモリ
３  通信部
４  位置情報取得部
５  計時部
６  チューナ部
６１  アンテナ
６２  感度検出部
７  入力部
８  出力部
８１  ディスプレイ
８２  スピーカ
Ｂ  支援サーバ装置
９１  処理部
９１１  受信感度情報取得部
９１２  データベース更新部
９１３  マップ更新部
９１４  マップ検索部
９１５  受信感度補正部
２２  接続部
９３  記憶部
９３１  受信感度情報データベース
９３２  受信感度マップ
９３３  補助情報データベース
【図１】
2015035777.tif 000003
【図２】
2015035777.tif 000004
【図３】
2015035777.tif 000005
【図４】
2015035777.tif 000006
【図５】
2015035777.tif 000007
【図６】
2015035777.tif 000008
【図７】
2015035777.tif 000009
【図８】
2015035777.tif 000010
【図９】
2015035777.tif 000011
【図１０】
2015035777.tif 000012
【図１１】
2015035777.tif 000013
【図１２】
2015035777.tif 000014
【図１３】
2015035777.tif 000015